(57)【要約】【課題】無線センサとセキュリティコントローラとの縁組を自動的にかつ確実に行う。【解決手段】  無線センサと、該無線センサと無線接続され、前記無線センサの検知信号を受信して報知又は通報処理するセキュリティコントローラとからなるセキュリティシステムにおける前記無線センサとセキュリティコントローラとの縁組方法であって、前記セキュリティコントローラを登録モードに設定し、かつ前記無線センサはタンパスイッチの起動を検知すると自動的に登録モード設定に切り替わる。セキュリティコントローラは、登録モード設定信号を受信すると縁組処理を行う。無線センサは前記タンパスイッチの復帰後、所定時間後に前記登録モードを解除して通常運営モード設定に切り替わる。【選択図】          図４
2006236026.tif 000002
【特許請求の範囲】
【請求項１】
無線センサと、該無線センサと無線接続され、前記無線センサの検知信号を受信して報知又は通報処理するセキュリティコントローラとからなるセキュリティシステムで用いる無線センサであって、
センサ部と、タンパスイッチ手段と、該タンパスイッチ手段の起動信号に基づき登録モードに設定する処理及び該登録モード通知信号を前記セキュリティコントローラに送信する処理を行う制御部と、該制御部からの前記通知信号を前記セキュリティコントローラに送信する送信手段と、を有することを特徴とする無線センサ。
【請求項２】
請求項１に記載された無線センサにおいて、
前記制御手段は、前記タンパスイッチ手段の復帰後、所定時間前記タンパスイッチが復帰した状態を継続したとき、前記設定モードを終了する処理を行うことを特徴とする無線センサ。
【請求項３】
無線センサと、該無線センサと無線接続され、前記無線センサの検知信号を受信して報知又は通報処理するセキュリティコントローラとからなるセキュリティシステムにおける前記無線センサとセキュリティコントローラとの縁組方法であって、
前記セキュリティコントローラを登録モードに設定する工程、
前記無線センサのタンパスイッチの起動を検知に基づき当該無線センサを登録モードに設定する工程、
前記無線センサを擬似的に起動して登録モードの設定通知信号を前記セキュリティコントローラに送信する工程、
前記登録モード設定通知信号の受信に基づき、前記セキュリティコントローラで前記無線センサと前記セキュリティコントローラとの縁組処理を行う工程、
前記タンパ信号復帰を検知した後所定時間後に前記無線センサを登録モードを解除する工程、
を有することを特徴とする無線センサとセキュリティコントローラとの縁組方法。
【請求項４】
請求項３に記載された無線センサとセキュリティコントローラとの縁組方法において、
前記無線センサを擬似的に起動する登録モードの設定通知信号を前記セキュリティコントローラに送信する工程に代えて、前記タンパスイッチを一時的に短時間復帰させ、登録モードの設定通知信号に加え、センサ部の状態を表す信号を前記セキュリティコントローラに送信する工程を有することを特徴とする無線センサとセキュリティコントローラとの縁組方法。
【発明の詳細な説明】
【技術分野】
【０００１】
本発明は、セキュリティシステムに用いる無線センサ、同無線センサとセキュリティコントローラとの縁組方法に関するものである。
【背景技術】
【０００２】
防犯や安全管理のためのセキュリティシステムが広く用いられているが、これらのシステムでは、例えばセンサで感知した信号をセキュリティコントローラの送信機を介して通信回線或いはインターネットなどのネットワークを経由して、センタ装置の受信機で受信し、それを警備サーバ（警備ＰＣ）等に送付して、センタ装置側で監視することが行われている。  
【０００３】
この場合、センサは例えば集合住宅の入口、窓、ガス器具等に配置して、外部からの不法な侵入、火災、漏電、ガス漏れ等を常時監視しており、各センサは、異常が発生すると自身の識別情報と共にセンサ情報を前記コントローラに送信し、前記コントローラは、その管理下にあるセンサからの情報を受信すると、その情報をセンタ装置に前記のように送信するようになっている。
【０００４】
したがって、このようにセンサとセキュリティコントローラとからなるセキュリティシステムを新たに構築する場合、或いは既にあるセキュリティシステムに新たにセンサを加える場合に、センサと前記コントローラとの間で互いに識別して情報の交信ができるように設定すること、つまり縁組することが必要である。
【０００５】
特許文献に記載されたものではないが、従来、無線センサ等とこれの起動情報を受信し通報又は警告表示等を行うセキュリティコントローラから構成されるセキュリティシステムにおいて、無線センサとセキュリティコントローラの初期縁組方法は、以下のものが一般的である。
（１）セキュリティコントローラをスイッチ等により登録モードにして、無線センサを起動して縁組を実施する。
（２）セキュリティコントローラと無線センサの両方をスイッチ等により登録モードにして、無線センサを起動し縁組を実施する。
（３）無線センサ毎にユニークな識別可能なラベル（例えば、ＭＡＣ（Media Access Control）アドレス）を貼り付け、パソコン等の登録機にそのラベル値を入力後セキュリティコントロールにRC232C（Recommended Standard232C）等による通信手段により登録を行い、縁組を実施する。
【０００６】
しかしながら、（１）のセキュリティコントローラをスイッチ等により登録モードにして、無線センサを起動して縁組を実施する場合は、近傍の別の無線センサが動作することにより誤動作、つまり本来関係のないセンサとセキュリティコントローラとが縁組される虞がある。
また、（２）のセキュリティコントローラと無線センサの両方をスイッチ等により登録モードにして、無線センサを起動し縁組を実施する場合は、無線センサ側にも登録モードにするスイッチ等の手段が必要となり、またスイッチ等を戻し忘れる可能性があり、とくにセンサは通常電池を電源とするため、スイッチの消し忘れは電池寿命を短縮するため、問題である。
更に、（３）のパソコン等の登録機にＭＡＣアドレス等のラベル値を入力後セキュリティコントロールに登録して縁組を実施する場合は、登録機を持ち歩かなければならず、また、操作が煩雑になる等の問題がある。
【発明の開示】
【発明が解決しようとする課題】
【０００７】
本発明は上記従来の問題に鑑みてなされたものであって、その目的はセンサとセキュリティコントローラとで簡易かつ確実な縁組を行うことである。
【課題を解決するための手段】
【０００８】
請求項１の発明は、無線センサと、該無線センサと無線接続され、前記無線センサの検知信号を受信して報知又は通報処理するセキュリティコントローラとからなるセキュリティシステムで用いる無線センサであって、センサ部と、タンパスイッチ手段と、該タンパスイッチ手段の起動信号で登録モードに設定する処理及び該登録モードの通知信号を前記セキュリティコントローラに送信する処理を行う制御部と、該制御部からの前記通知信号を前記セキュリティコントローラに送信する送信手段と、を有することを特徴とする。
請求項２の発明は、請求項１に記載された無線センサにおいて、前記制御手段は、前記タンパスイッチ手段の復帰後、所定時間前記タンパスイッチが復帰した状態を継続したとき、前記設定モードを終了する処理を行うことを特徴とする
請求項３の発明は、無線センサと、該無線センサと無線接続され、前記無線センサの検知信号を受信して報知又は通報処理するセキュリティコントローラとからなるセキュリティシステムにおける前記無線センサとセキュリティコントローラとの縁組方法であって、前記セキュリティコントローラを登録モードに設定する工程、前記無線センサのタンパスイッチの起動を検知に基づき当該無線センサを登録モードに設定する工程、前記無線センサを擬似的に起動して登録モードの設定通知信号を前記セキュリティコントローラに送信する工程、前記登録モード設定通知信号の受信に基づき、前記セキュリティコントローラで前記無線センサと前記セキュリティコントローラとの縁組処理を行う工程、前記タンパ信号復帰を検知した後所定時間後に前記無線センサを登録モードを解除する工程、を有することを特徴とする。
請求項４の発明は、請求項３に記載された無線センサとセキュリティコントローラとの縁組方法において、前記無線センサを擬似的に起動する登録モードの設定通知信号を前記セキュリティコントローラに送信する工程に代えて、前記タンパスイッチを一時的に短時間復帰させ、登録モードの設定通知信号に加え、センサ部の状態を表す信号を前記セキュリティコントローラに送信する工程を有することを特徴とする。
【０００９】
（作用）
無線センサは、タンパスイッチの起動に基づき登録モードの設定を自動的に行い、その情報を無線センサーの識別情報に付加してセキュリティコントローラに通知する。また、無線センサは、タンパスイッチが復帰した後引き続いて所定時間復帰状態を維持したとき、自動的に登録モードを終了するようにする。
【発明の効果】
【００１０】
本発明によれば、誤縁組の可能性がなく、また、登録後には自動的に登録モードを終了するため、従来のように無線センサの無線スイッチ登録ボタンの戻し忘れの虞もない。
また、従来は、無線センサを登録モードに設定するための登録ボタンが必要であったが、本発明では、従来から備えるタンパスイッチを用いて登録モードに切り替えることを可能にしたため、無線センサに登録ボタンを設ける必要がなくコストを削減することができる。
更に、無線センサ側の操作は、タンパスイッチの起動、復帰つまり、特定の開閉手段の開閉を行うのみで特別な作業を要することがないから、セキュリティシステムの設置工事を簡素化し、コストを低減することができる。
【発明を実施するための最良の形態】
【００１１】
本発明の実施形態を添付する図面に従って説明する。
図１は、本発明のセキュリティシステムのブロック図である。
図示のように、本セキュリティシステムは、例えば集合住宅の各戸毎に、入口、窓などからの不法侵入、或いは漏水、漏電、火災等を監視する複数の無線センサ１００と、これらの無線センサ１００を複数個まとめて管理するセキュリティコントローラ２００とからなっている。
セキュリティコントローラ２００で収集した各戸毎のセンサ情報は警告表示するか或いは図示しないセンタ装置等に通報され、センタ装置等に設置された監視サーバ等に入力され等して監視される。
【００１２】
図２は、本発明のセキュリティシステムを構成する一方の構成要素である無線センサ１００の１実施形態の構成を示すブロック図である。
無線センサは、異常を検知するセンサ部１０１と、無線センサの開閉部、ここでは電池蓋が開けられたときに起動するタンパスイッチ１０２と、動作用の電池１０３と、電池１０３の電池の安定化を図るための安定化電源回路等からなる電源回路１０４と、センサ部１０１、タンパスイッチ１０２等からの入力に基づき縁組み処理つまり登録状態判別処理、登録処理、運用処理等を実施するための主制御部１０５と，主制御部１０５からの情報を変調してセキュリティコントローラへ伝達する無線部１０６と、主制御部１０５の登録処理から通常の運用処理へ移行するための監視手段として機能するタイマ１０７と、各種情報を蓄積するメモリ１０８と、無線部１０６からの無線情報を空中へ伝播するためのアンテナ１０９と、から成っている。
【００１３】
ここで、タンパスイッチとは、例えば筺体の蓋の開閉を検出するためのスイッチであって、蓋が開けられたことを示す情報を発信するスイッチである。本来の利用目的は、センサの動作を停止するために蓋が開けられたとき、或いは蓋の破壊等の不正行為が行われたときにこれを通知するためのスイッチである。
【００１４】
図３は、本発明のセキュリティシステムの他方の構成要素であるセキュリティコントローラの１実施形態を示すブロック図である。
セキュリティコントローラ２００は、無線センサ１００から到来する無線を受信するアンテナ２０１と、アンテナ２０１で受信した信号を復調するための無線部２０２と、例えば、縁組設定モード切換スイッチや登録スイッチ２０３等の各種スイッチランプ等で構成される操作部２０４と、例えば家庭用ＡＣ電源に接続される電源部２０５と、無線部２０２，登録スイッチ２０３を含む操作部２０４からの入力に基づき、当該無線センサ１００が登録済みか否かを判別する登録状態判別処理、縁組処理により当該無線センサ１００をセキュリティコントローラ２００に登録する登録処理、登録後に当該無線センサ１００からの情報を収集するなどの運用を行うための運用処理等を実行する主制御部２０６から成っている。
【００１５】
次に、以上で説明した前記無線センサ１００とセキュリティコントローラ２００との縁組処理について図４に示す処理フロー図に従って説明する。
先ず、セキュリティコントローラ２００の電源部２０５の電源を投入する、つまり図示しない電源スイッチをＯＦＦからＯＮに切り換え（Ｓ１０１）、登録用のスイッチ２０３を操作して登録モードにする（なお、登録モードは、登録用スイッチ２０３に依らず、到来する登録設定通知信号により登録モードにするようにしてもよい）（Ｓ１０２）。続いて無線センサ１００に電池１０３を入れるために、電池蓋（図示せず）を開け（Ｓ１０３）、電池１０３をセットして（Ｓ１０４）無線センサ１００の電源を投入する。
この状態では、電池蓋の開放によりタンパスイッチ１０２は起動状態にあるので、主制御部１０５はこのタンパスイッチ１０２の起動を検出すると（Ｓ１０５、ＹＥＳ）、無線センサ１００を登録モードに設定して、その旨の情報（登録モード設定情報）をメモリ１０８に記録する（Ｓ１０６）。
【００１６】
次に、無線センサ１００を仮起動つまり擬似的に起動すると（Ｓ１０７、ＹＥＳ）、主制御部１０５は、この起動信号を受けてメモリ１０８から登録モード設定情報を読み出して登録モード設定通知信号として無線部１０６、アンテナ１０９からセキュリティコントローラ２００に送信する（Ｓ１０８）。
【００１７】
登録モードに設定されているセキュリティコントローラ２００は、無線センサからの登録モード設定通知信号を受信すると（Ｓ１０９）、縁組処理、つまり、当該無線センサの例えばＭＡＣアドレス等の識別情報を登録することで、当該無線センサ１００がそのセキュリティコントローラ２００の管理下にあることを認識できるようにする一連の処理を行う（Ｓ１１０）。
【００１８】
他方、無線センサ１００側では、電池を接続後無線センサ１００の電池蓋を閉め、それに伴ってタンパスイッチ１０２が復旧、即ちＯＦＦになると（Ｓ１１１、ＹＥＳ）、主制御部１０５はこれを検出しタイマ１０７をスタートする（Ｓ１１２）。
主制御部１０５は、前記タンパスイッチ１０２の復旧（Ｓ１１３、ＹＥＳ）の状態が前記タイマ１０７で設定した所定時間継続したとき（Ｓ１１４、ＹＥＳ）、無線センサ１００のメモリ１０８に書き込まれた登録モードをクリアにする。即ち登録モードをＯＦＦにして（Ｓ１１５）、無線センサ１００を通常運用モード（監視モード）に移行させ（Ｓ１１６）て、縁組処理を終了する。
【００１９】
同様に、セキュリティコントローラ２００側でも、全ての無線センサとの縁組処理が終了するとその登録モードをＯＦＦして（Ｓ１１５）、通常運用モード（監視モード）に移行する（Ｓ１１６）。
【００２０】
なお、ステップＳ１０６において、擬似的に起動する代わりにタンパスイッチ１０２を短時間復旧（つまりＯＦＦ）させてもよい。その場合、タンパスイッチ１０２が短時間復旧しているときのセンサ部１０１の状態により、縁組以外の登録情報も含めて伝送することができる。
即ち、例えば、センサ部１０１が接点入力によるものである場合、メーク状態にしておくと起動接点入力、ブレーク状態にしておくとブレーク接点入力であると主制御部に認識させ、そのことも含めてセキュリティコントローラ２００に伝送することができる。
【図面の簡単な説明】
【００２１】
【図１】本発明に係るセキュリティシステムのブロック図である。
【図２】無線センサの構成を示すブロック図である。
【図３】セキュリティコントローラの構成を示すブロック図である。
【図４】無線センサとセキュリティコントローラの縁組の手順を示すフロー図である。
【符号の説明】
【００２２】
１００・・・無線センサ、１０１・・・センサ部、１０２・・・タンパスイッチ、１０３・・・電池、１０４・・・電源回路、１０５・・・主制御部、１０６・・・無線部、１０７・・・タイマ、１０８・・・メモリ、１０９・・・アンテナ、２００・・・セキュリティコントローラ、２０１・・・アンテナ２０２・・・無線部、２０３・・・登録スイッチ、２０４・・・操作部、２０５・・・電源部、２０６・・・主制御部。
【図１】
2006236026.tif 000003
【図２】
2006236026.tif 000004
【図３】
2006236026.tif 000005
【図４】
2006236026.tif 000006